(57)【要約】 【課題】  通信回線を確立することなく、ユーザがどのような状態にいるか、発信者に通知することができる通信端末を実現する。【解決手段】  着信検知部２０は発呼側の通信端末からの着呼要求を検知すると、通話部２１は、ユーザの所定の操作に基づいて、上記発呼側の通信端末との間における通信回線を確立する移動機１００において、着信検知部２０が検知した着呼要求に対して通話部２１は、所定の操作が行われるか否かを判断する。そして、通話部２１がユーザによる所定の操作は行われないと判断した場合に、ユーザ状態情報生成部１５が取得したユーザ状態情報からユーザの状態を表す定型文を含むメールデータをメールデータ生成部１７が生成する。生成したメールデータを、メール送信部１８は、発呼側の通信端末にメール送信する。【選択図】  図１
2005295337.tif 000002
【特許請求の範囲】
【請求項１】
発呼側の通信端末からの着呼要求があった場合に、ユーザの所定の操作を契機として前記発呼側の通信端末との間における通信回線を確立する通信端末であって、
前記着呼要求に対して前記所定の操作が行われるか否かを判断する応答判断手段と、
前記ユーザの状態を示すユーザ状態情報を取得するユーザ状態取得手段と、
前記応答判断手段が前記所定の操作は行われないと判断した場合に、前記ユーザ状態取得手段が取得したユーザ状態情報を示すための状態メールを作成するメール作成手段と、
前記着呼要求を受けている間に、当該作成した状態メールを前記発呼側の通信端末に送信するメール送信手段と、
を備える通信端末。
【請求項２】
当該通信端末の周囲の状態を示す端末状態情報を取得する端末状態取得手段と、
前記ユーザ状態情報と前記端末状態情報とを関連付けて格納する状態情報格納手段と、を備え、
前記ユーザ状態取得手段は、前記端末状態取得手段が取得した端末状態情報に基づいて、前記状態情報格納手段に格納されているユーザ状態情報を取得する、請求項１に記載の通信端末。
【請求項３】
前記応答判断手段は、前記着呼要求に応じて当該通信端末において前記ユーザの呼び出しが開始された後、所定の時間内にユーザによる前記所定の操作がされない場合に、前記所定の操作が行われないと判断する、請求項１又は２に記載の通信端末。
【請求項４】
前記応答判断手段は、前記端末状態取得手段が取得した端末状態情報に基づいて、ユーザによる前記所定の操作が行われるか否かを判断する、請求項２に記載の通信端末。
【請求項５】
前記端末状態取得手段は、前記通信端末の周囲で発せられる音声を認識することにより端末状態情報を取得する、請求項２から４のいずれか１項に記載の通信端末。
【請求項６】
前記端末状態取得手段は、加速度を計測することにより移動速度を計測し、当該計測した移動速度を示す情報に基づいて前記端末状態情報を取得する、請求項２から５のいずれか１項に記載の通信端末。
【請求項７】
前記端末状態取得手段は、前記通信端末の周囲の温度を計測し、当該計測した温度を示す情報に基づいて前記端末状態情報を取得する、請求項２から６のいずれか１項に記載の通信端末。
【発明の詳細な説明】
【技術分野】
【０００１】
本発明は、他の通信端末と電話通信およびメール通信を行う通信端末に関する。
【背景技術】
【０００２】
従来から、発呼側の通信端末から着呼要求を受けることのできる移動機などの通信端末が知られている。一般的に、発呼側の通信端末から着呼要求を受けると、着呼要求を受けた通信端末は、着信音を鳴動させることにより、またはバイブレータ機能により通信端末自身を振動させることにより、当該通信端末のユーザに着呼要求があったことを知らせることができる。この知らせを受けた当該通信端末のユーザは、所定の着呼要求に対する応答操作であるオフフック処理を行うことにより、着呼要求を受けた通信端末は発呼側の通信端末との間で通信回線を確立する処理を行うことができ、当該通信端末を操作するユーザは、発呼側の通信端末のユーザと通話することができる。尚、この背景技術は文献公知発明に係るものではないので、記載すべき先行技術文献情報はない。
【発明の開示】
【発明が解決しようとする課題】
【０００３】
しかしながら、従来の移動機などの通信端末にあっては、ユーザが電車などの乗り物に乗車中、または会議中である場合、ユーザが着呼要求に対して、応答することができない場合がある。そのため、近年の通信端末は、ユーザが所定時間応答しない場合、留守番電話モードに移行するためにまず通信回線を確立し、回線確立後、発呼側の通信相手に対して留守番電話モードに移行した旨の応答メッセージを送出する。送出された応答メッセージを聞いた発呼側の通信端末のユーザは、着呼要求を受けた通信端末のユーザが応答することができないことを把握することができるが、着呼要求を受けた通信端末のユーザがどのような状態にいるかを、発呼側の通信端末のユーザは知ることができない。また、留守番電話モードに移行するには通信回線を確立することになるため、発呼側の通信端末は課金処理され、発呼側の通信端末における通信コストが増大する。
【０００４】
そこで、本発明では、通信回線を確立することなく、ユーザがどのような状態にいるかを発信者に通知することができる通信端末を提供することを目的とする。
【課題を解決するための手段】
【０００５】
本発明の通信端末は、発呼側の通信端末からの着呼要求があった場合に、ユーザの所定の操作を契機として上記発呼側の通信端末との間における通信回線を確立する通信端末であって、上記着呼要求に対して上記所定の操作が行われるか否かを判断する応答判断手段と、上記ユーザの状態を示すユーザ状態情報を取得するユーザ状態取得手段と、上記応答判断手段が上記所定の操作は行われないと判断した場合に、上記ユーザ状態取得手段が取得したユーザ状態情報を示すための状態メールを作成するメール作成手段と、上記着呼要求を受けている間に、当該作成した状態メールを上記発呼側の通信端末に送信するメール送信手段と、を備える。
【０００６】
本発明によれば、着呼要求に対して所定の動作が行われないと判断した場合に、ユーザ状態情報を示す状態メールを発呼側の通信端末に送信するので、通信回線を確立せずにユーザの状態を発呼側の通信端末に通知できる。
【０００７】
また本発明の通信端末では、当該通信端末の周囲の状態を示す端末状態情報を取得する端末状態取得手段と、上記ユーザ状態情報と上記端末状態情報とを関連付けて格納する状態情報格納手段と、を備え、上記ユーザ状態取得手段は、上記端末状態取得手段が取得した端末状態情報に基づいて、上記状態情報格納手段に格納されているユーザ状態情報を取得することも好ましい。端末状態情報に基づいて、予め格納されているユーザ状態情報を取得するので、通信端末の周囲の状態からユーザの状態を推測してユーザ状態情報を取得できる。
【０００８】
また本発明の通信端末では、上記応答判断手段が、上記着呼要求に応じて当該通信端末において上記ユーザの呼び出しが開始された後、所定の時間内にユーザによる上記所定の操作がされない場合に、上記所定の操作が行われないと判断することも好ましい。ユーザの呼び出しが開始された後、所定の時間内に所定の操作がされない場合に、上記所定の操作が行われないと判断するので、ユーザが応答することができないことを容易に判断することができる。
【０００９】
また本発明の通信端末では、上記応答判断手段は、上記端末状態取得手段が取得した端末状態情報に基づいて、ユーザによる上記所定の操作が行われるか否かを判断することも好ましい。端末状態情報に基づいて、ユーザによる所定の操作が行われるか否かを判断するので、時間の経過に依存せずにユーザが応答操作をすることができるか否かを判断することができ、迅速な処理を実現することができる。
【００１０】
また本発明の通信端末では、上記端末状態取得手段は、上記通信端末の周囲で発せられる音声を認識することにより端末状態情報を取得するよう構成しても良い。音声を認識することで端末状態情報を取得するので、音声に基づいたユーザ状態情報を取得できる。
【００１１】
また本発明の通信端末では、上記端末状態取得手段は、加速度を計測することにより移動速度を計測し、当該計測した移動速度を示す情報に基づいて端末状態情報を取得することも好ましい。移動速度に基づいて端末状態情報を取得するので、移動速度に基づいたユーザ状態情報を取得できる。
【００１２】
また本発明の通信端末では、上記端末状態取得手段は、上記通信端末の周囲の温度を計測し、当該計測した温度を示す情報に基づいて上記端末状態情報を取得することも好ましい。周囲の温度に基づいて端末状態情報を取得するので、周囲の温度に基づいたユーザ状態情報を取得できる。
【発明の効果】
【００１３】
本発明によれば、通信回線を確立することなく、ユーザがどのような状態にいるかを発信者に通知することができる通信端末を提供できる。
【発明を実施するための最良の形態】
【００１４】
本発明の知見は、例示のみのために示された添付図面を参照して以下の詳細な記述を考慮することによって容易に理解することができる。引き続いて、添付図面を参照しながら本発明の実施の形態を説明する。可能な場合には、同一の部分には同一の符号を付して、重複する説明を省略する。
【００１５】
図１は、本発明の実施形態である移動機１００（通信端末）のブロック構成図である。
【００１６】
移動機１００は、状態検知部１０（端末状態取得手段）、ユーザ状態情報生成部１５（ユーザ状態取得手段）、管理テーブル１６（状態情報格納手段）、メールデータ生成部１７（メール作成手段）、メール送信部１８（メール送信手段）、無線通信部１９、着信検知部２０、通話部２１（応答判断手段）とを備える。また、状態検知部１０は、移動速度情報取得部１１、声情報取得部１２、人感情報取得部１３、音情報取得部１４を有する。引き続いて各構成要素について説明する。
【００１７】
状態検知部１０は、移動機１００の周囲の状態を認識して周囲の状態を示す端末状態情報を取得する部分である。そして、端末状態情報を取得するため、状態検知部１０は、移動速度情報取得部１１、声情報取得部１２、人感情報取得部１３、音情報取得部１４を有する。
【００１８】
移動速度情報取得部１１は、ジャイロセンサからなるものであり、移動機１００を保持するユーザが移動する際に生ずる加速度を計測し、計測した加速度から移動速度を算出する部分である。そして、移動速度情報取得部１１は、予め定めた移動速度の最大値を１００％とし、計測した移動速度をパーセンテージで数値化した移動速度情報を取得する。移動速度情報取得部１１は取得した移動速度情報をユーザ状態情報生成部１５に出力する。
【００１９】
声情報取得部１２は、一般的な人の声の周波数帯域である８０Ｈｚ〜４ｋＨｚの音を人の声として認識し、認識した声の音量を計測する部分である。そして、声情報取得部１２は、予め定めた声の音量の最大値を１００％とし、計測した音量をパーセンテージで数値化した声情報を取得する。声情報取得部１２は取得した声情報をユーザ状態情報生成部１５に出力する。
【００２０】
人感情報取得部１３は、周囲の温度を検出するサーモメータを備え、人が移動機１００の周囲に存在するか否かを判断するため、移動機１００の周囲の温度を計測する部分である。そして、人感情報取得部１３は、予め定めた温度の最大値となる温度を１００％とし、計測した周囲の温度をパーセンテージで数値化した人感情報を取得する。人感情報取得部１３は取得した人感情報をユーザ状態情報生成部１５に出力する。
【００２１】
音情報取得部１４は、声以外の音（８０Ｈｚ〜４ｋＨｚ以外の周波数帯域となる音）の音量を計測する部分である。音情報取得部１４は、予め定めた音量の最大値を１００％とし、計測した音量をパーセンテージで数値化した音情報を取得する。音情報取得部１４は取得した音情報をユーザ状態情報生成部１５に出力する。
【００２２】
ユーザ状態情報生成部１５は、移動速度情報取得部１１、声情報取得部１２、人感情報取得部１３、及び音情報取得部１４のそれぞれから出力された数値化された情報、および後述する管理テーブル１６を用いてユーザ状態情報およびユーザ状態を示す状態番号を取得する部分である。
【００２３】
ここで、管理テーブル１６について説明する。管理テーブル１６は、移動速度情報取得部１１、声情報取得部１２、人感情報取得部１３、および音情報取得部１４が得た数値化された情報とユーザの状態を示すユーザ状態情報とを関連付けて記憶する格納部分である。その具体例を図２（ａ）〜（ｄ）に示す。
【００２４】
図２（ａ）〜（ｄ）は、管理テーブル１６の具体例を示す図である。管理テーブル１６は、移動速度情報取得部１１、声情報取得部１２、人感情報取得部１３、音情報取得部１４ごとの管理テーブルを有し、それぞれ状態番号、取得した数値化された情報、ユーザ状態情報を関連付けて記憶する。
【００２５】
図２（ａ）は、移動速度情報取得部１１が取得した数値に関連付けてユーザ状態情報を記憶する管理テーブルを示す。図２（ａ）に示す管理テーブルは、移動速度情報取得部１１が取得した移動速度情報が０−５％の範囲にある場合、「Ｓｉｔｔｉｎｇ」（座っている）状態と関連付け、移動速度情報取得部１１が取得した移動速度情報が５−３０％の範囲にある場合、「Ｗａｌｋｉｎｇ」（歩く）状態と関連付け、移動速度情報取得部１１が取得した移動速度情報が３０−５０％の範囲にある場合、「Ｒｕｎｎｉｎｇ」（走る）状態と関連付け、移動速度情報取得部１１が取得した移動速度情報が５０−１００％の範囲にある場合、「Ｏｎ  Ｒｉｄｅ」（乗車中）状態と関連付けることができるよう、予めそれぞれ関連付けて記憶する。また、ユーザ状態を数字で表した状態番号とをあわせて関連付けて記憶する。
【００２６】
なお、移動速度情報取得部１１が取得した移動速度情報について、０％ではなく、０−５％の範囲を「Ｓｉｔｔｉｎｇ」（座っている）状態と関連付けすることの理由は、計測した加速度から算出した移動速度に誤差が生じた場合を考慮したものである。
【００２７】
図２（ｂ）は、声情報取得部１２が取得した声情報に関連付けてユーザ状態情報を記憶する管理テーブルを示す。図２（ｂ）に示す管理テーブルは、声情報取得部１２が取得した声情報が０−５０％の範囲にある場合、「Ｑｕｉｅｔ」（静かな）状態と関連付け、声情報取得部１２が取得した声情報が５０−１００％の範囲にある場合、「Ｃｏｎｖｅｒｓａｔｉｏｎ」（会話中）状態と関連付けることができるよう、予めそれぞれ関連付けて記憶する。また、ユーザ状態を数値で表した状態番号とをあわせて関連付けて記憶する。
【００２８】
図２（ｃ）は、人感情報取得部１３が取得した人感情報に関連付けてユーザ状態情報を記憶する管理テーブルを示す。図２（ｃ）に示す管理テーブルは、人感情報取得部１３が取得した人感情報が０−５０％の範囲にある場合、「Ｎｏｔ  Ｅｘｉｓｔ」（存在しない）状態と関連付け、人感情報取得部１３が取得した人感情報が５０−１００％の範囲にある場合、「Ｅｘｉｓｔ」（存在）状態と関連付けることができるよう、予めそれぞれ関連付けて記憶する。また、ユーザ状態を数値で表した状態番号とをあわせて関連付けて記憶する。
【００２９】
図２（ｄ）は、音情報取得部１４が取得した音情報に関連付けてユーザ状態情報を記憶する管理テーブルを示す。図２（ｄ）に示す管理テーブルは、音情報取得部１４が取得した音情報が０−５０％の範囲にある場合、「Ｉｎｄｏｏｒ」（屋内）状態と関連付け、音情報取得部１４が取得した音情報が５０−１００％の範囲にある場合、「Ｏｕｔｄｏｏｒ」（屋外）状態と関連付けて記憶する。また、ユーザ状態を数値で表した状態番号とをあわせて関連付けて記憶する。
【００３０】
管理テーブル１６に記憶されている情報、および移動速度情報取得部１１、声情報取得部１２、人感情報取得部１３、音情報取得部１４が取得した情報に基づいて、ユーザ状態情報生成部１５は、ユーザ状態情報、および状態番号を取得することができる。ユーザ状態情報生成部１５は、取得したユーザ状態情報及び状態番号をメールデータ生成部１７に出力する。
【００３１】
図１に戻り、移動機１００のブロック構成図の説明に戻る。メールデータ生成部１７は、後述する着信検知部２０により発信者番号信号から抽出された発呼側の通信端末の電話番号に基づいて、電話番号とメールアドレスとを対応付けして記憶するアドレス帳からメールアドレスを抽出し、メールデータのあて先記述部分に記述する処理を行う部分である。
【００３２】
また、メールデータ生成部１７は、ユーザ状態情報生成部１５から出力された状態番号に基づいて、着呼要求を受けた移動機１００のユーザ状態を示すメールデータを生成する。メールデータ生成部１７は生成したメールデータをメール送信部１８に出力する。
【００３３】
具体的には、メールデータ生成部１７は、「ただ今、乗車中です。」、「ただ今、外出中です。」などの定型文データを含むメールデータを作成する。これら定型文データはメールデータ生成部１７に備えられている定型文テーブルに基づいて作成され、メールデータに挿入される。以下に、メールデータに挿入される定型文データと状態番号とを関連付けした定型文テーブルを説明する。
【００３４】
図３は、メールデータに挿入される定型文データと状態番号とを関連付けした定型文テーブルを示す図である。図３に示すとおり、定型文テーブルは、「ただ今、乗車中です。」、「ただ今、外出中です。」などの定型文データと、移動速度情報取得部１１、声情報取得部１２、人感情報取得部１３、および音情報取得部１４ごとの管理テーブル１６が有している管理テーブルに記憶されている状態番号とを関連付けて予め記憶している。
【００３５】
そして、メールデータ生成部１７は、移動速度情報取得部１１、声情報取得部１２、人感情報取得部１３、および音情報取得部１４のそれぞれが取得した情報から状態番号および上述定型文テーブルを用いて、ユーザ状態を示す定型文データを抽出し、メールデータに挿入する。
【００３６】
例えば、移動速度情報取得部１１が一定以上の移動速度を示す情報を取得し、ユーザ状態情報生成部１５が状態番号「０４」を管理テーブル１６に基づいて取得する。同様に、人感情報取得部１３が移動機１００の周囲の温度が一定以上であることを示す情報を取得し、ユーザ状態情報生成部１５が状態番号「０１」を管理テーブル１６に基づいて取得し、音情報取得部１４が移動機１００の周囲の音量が一定以上であることを示す情報を取得し、ユーザ状態情報生成部１５が状態番号「０１」を管理テーブル１６に基づいて取得する。
【００３７】
メールデータ生成部１７は、これら取得した状態番号が一致する定型文データを定型文テーブルから検索し、「ただ今、乗車中です。」という定型文データを得ることができる。なお、声情報取得部１２が取得したユーザ状態情報は、「−」が定型文テーブル中に記述されているため、音声情報取得部１２で取得された情報は当該定型文データを取得する際には使用されない。
【００３８】
また、本実施の形態においては、メールデータ生成部１７は定型文データを含むメールデータを生成していたが、定型文データに限らず、図柄などを用いてユーザ状態を表現するようにしても良い。その際は、定型文テーブルには、定型文データの代わりに、ユーザ状態を示す画像ファイルを特定するファイル名をユーザ状態と関連付けて記憶する必要がある。
【００３９】
続いて、図１の移動機１００のブロック構成図の説明に戻る。メール送信部１８は、メールデータ生成部１７で生成されたメールデータを電子メールプロトコル、またはショートメッセージサービスに用いられるプロトコルなどを用いてメール送信する部分である。また、メール送信部１８は、後述する着信検知部２０が発呼側の通信端末から着呼要求を受けている間、および後述する通話部２１が当該通信端末と通話をしている間においても、通話処理のセッションとは別のメール送信処理のセッションをはることによりメール送信を行うことができる。
【００４０】
なお、本明細書における「メール」は、パーソナルコンピュータ間や移動機間等で利用されている電子メール、移動機間で用いられるショートメッセージサービス、マルチメディアメッセージサービスを含み、文章・図柄等を電子化して特定の送信先に送信し得る手段を包括する概念として用いている。
【００４１】
無線通信部１９は、通信事業者が設置する無線基地局（図示せず）と無線通信技術を用いて通信する部分である。
【００４２】
着信検知部２０は、無線通信部１９を介して発呼側の通信端末からの着呼要求を受信することにより、当該着呼要求を検知する部分である。着呼要求を検知すると、着信検知部２０は、他の通信端末から着呼要求があったことを、移動機１００のユーザに報知するよう、着信音を発生させる着信音発生部（図示せず）またはバイブレータ（図示せず）を制御する。この報知の動作は、移動機１００のユーザが応答操作を行うか（設定された時間が経過すると自動的に応答するものを含む）、発呼側の通信端末からの着呼要求の送信処理が終了するまで行われる。
【００４３】
通話部２１は、発呼側の通信端末からの着呼要求があった場合、移動機１００のユーザの操作を契機として、移動機１００と発呼側の通信端末との間の通信回線確立の処理を行い、移動機１００のユーザに発呼側の通信端末のユーザと通話を行うことを可能とする部分である。移動機１００のユーザの操作が行われない場合は、通話部２１は、上述したユーザ状態情報生成部１５に対して処理を実行するよう指示する。
【００４４】
以上のとおり構成された移動機１００の動作について説明する。図４は、移動機１００の動作処理を示す動作フロー図である。
【００４５】
移動機１００の着信検知部２０が、発呼側の通信端末から着呼要求を受信して検知すると（Ｓ１）、まず発呼側の通信端末から着呼要求とともに送信された発信者番号信号から発呼側の通信端末の電話番号を抽出し（Ｓ２）、抽出した電話番号をディスプレイ部（図示せず）は表示する。
【００４６】
予め定めた一定時間内に移動機１００のユーザがオフフック処理を行うことができず着呼要求に対して応答することができないと、通話部２１が判断する場合（Ｓ３）、ユーザ状態情報生成部１５はユーザ状態情報の取得を行う（Ｓ４）。具体的には、移動速度情報取得部１１、声情報取得部１２、人感情報取得部１３、音情報取得部１４は、移動機１００の周囲の状態を示す状態情報を常に一定周期をもって取得しており、ユーザ状態情報生成部１５は通話部２１がユーザが応答できないと判断したとき、既に取得された状態情報に基づいてユーザ状態を示す情報を生成して、ユーザ状態情報を取得する。
【００４７】
その後、メールデータ生成部１７は、ユーザ状態情報に基づいて定型文テーブルから対応する定型文データを取出し、メールデータを生成する（Ｓ５）。
【００４８】
メールデータ生成部１７は、Ｓ２において取得した発信者番号信号から取得した電話番号に基づいて、電話番号とメールアドレスとを対応付けて予め記憶するアドレス帳から、対応するメールアドレスを取得し、取得したメールアドレスを生成したメールデータのあて先に設定する（Ｓ６）。メール送信部１８は、メールデータ生成部１７で生成され、メールアドレスが設定されたメールを当該メールアドレス宛てに（発呼側の通信端末に）送信する（Ｓ７）。
【００４９】
また、Ｓ３において、一定時間内にユーザの応答操作がなされたと、通話部２１が判断すると、通話部２１は通信回線確立の処理を行い（Ｓ８）、着呼要求を受けた通信端末のユーザが発呼側の通信端末のユーザと通話可能とする処理を行う（Ｓ９）。
【００５０】
なお、図４のＳ３の処理について、一定時間内にユーザが移動機１００に対して応答操作を行わないと、ユーザ情報情報生成部１５がユーザ状態を取得する処理に移行しているが、移動速度情報取得部１１、声情報取得部１２、人感情報取得部１３、音情報取得部１４が移動機１００の周囲の状態情報を常に（一定周期ごとに）取得し、ここで取得した状態情報に基づいて、ユーザが応答操作をすることができるか否かを通話部２１が判断するようにしても良い。例えば、人感情報取得部１３が取得した人感情報が０−５０％の範囲であり、移動機１００の周囲に人がいないと判断できる場合は、ユーザが応答することができないと通話部２１は判断する。
【００５１】
以上説明した移動機１００における作用効果について説明する。発呼側である通信端末からの着呼要求に対してユーザが応答操作をすることができず通話部２１が通信回線を確立することができない場合、ユーザ状態情報生成部１５が移動機１００のユーザ状態を示すユーザ状態情報を取得し、メールデータ生成部１７がユーザ状態情報を示すメールデータを作成し、メール送信部１８が生成したメールデータを発呼側の通信端末にメール送信することにより、ユーザの手間をかけることなく、ユーザが応答できない状態であることを発呼側の通信端末のユーザに通知することができる。
【００５２】
また、着信検知部２０が発呼側の通信端末からの着呼要求を受けている間に、メール送信部１８はユーザ状態情報を示すメールデータを送信することにより、いち早く発呼側の通信端末のユーザに着呼要求を受けた移動機１００のユーザ状態を知らせることができる。
【００５３】
さらに、発呼側の通信端末が発呼をしている間、メール受信を行うことができる装置である場合、当該発呼側の通信端末は、発呼をしながら着呼要求を受けた移動機１００のユーザ状態を示すメールの受信処理を行うことができる。よって、発呼側の通信端末のユーザは、発呼処理を止めることなく着呼要求を受けた移動機１００のユーザにおけるユーザ状態を知ることができる。
【００５４】
また、ユーザ状態情報と移動機１００の周囲の状態情報とを関連付けて格納し、格納された情報に基づいて、移動機１００の周囲の状態を示す状態情報からユーザ状態情報を取得することにより、ユーザ自身がユーザ状態を予め登録することなく、自動的に移動機１００の周囲の状態に応じた適切なユーザ状態を取得することができる。
【００５５】
また、ユーザの呼び出しが開始された後、所定の時間内にユーザによる所定の操作がされない場合に、通話部２１が上記所定の操作が行われないと判断することにより、ユーザが応答することができないことを容易に判断することができ、ユーザが応答することができないことを判断するための構成を簡易にすることができる。
【００５６】
また、ユーザによる所定の操作が行われるか否かをユーザ状態情報生成部１５が生成したユーザ状態に基づいて通話部２１が判断することにより、時間を待たずにユーザが応答操作をすることができるか否かを判断することができ、迅速な処理を実現することができる。
【００５７】
また、ユーザ状態取得手段として、移動速度情報取得部１１、声情報取得部１２、人感情報取得部１３、音情報取得部１４を備えて、ユーザ状態を取得することができるようにしたため、音（声を含む）、移動速度、温度などに基づいて適切なユーザ状態を判断することができる。
【図面の簡単な説明】
【００５８】
【図１】本発明の移動機１００のブロック構成図である。
【図２】（ａ）は管理テーブル１６の移動速度情報取得部１１に関する管理テーブルの具体例を示す説明図であり、（ｂ）は管理テーブル１６の声情報取得部１２に関する管理テーブルの具体例を示す説明図であり、（ｃ）は管理テーブル１６の人感情報取得部１３に関する管理テーブルの具体例を示す説明図であり、（ｄ）は管理テーブル１６の音情報取得部１４に関する管理テーブルの具体例を示す説明図である。
【図３】移動機１００のメールデータ生成部１７がメールデータを生成する際に使用する定型文テーブルの具体例を示す説明図である。
【図４】移動機１００の動作フロー図である。
【符号の説明】
【００５９】
１１…移動速度情報取得部、１２…声情報取得部、１３…人感情報取得部、１４…音情報取得部、１５…ユーザ状態情報生成部、１６…管理テーブル、１７…メールデータ生成部、１８…メール送信部、１９…無線通信部、２０…着信検知部、２１…通話部、１００…移動機。
【図１】
2005295337.tif 000003
【図２】
2005295337.tif 000004
【図３】
2005295337.tif 000005
【図４】
2005295337.tif 000006